(57)【要約】【課題】サイマルキャストを検知し、サイマルキャスト放送内の最適な番組へ自動的に切替えを行う放送受信装置及び放送受信方法を提供する。【解決手段】番組情報を受信する受信手段と、前記受信手段からの番組情報に基づいて番組毎の識別番号を生成し、識別番号及び当該識別番号に対応する番組情報を含む番組情報リストを作成するサイマルキャスト検知手段と、ユーザが設定したサイマルキャスト切替情報に基づいて優先度情報リストを作成する優先度決定手段と、前記サイマルキャスト検知手段からの番組情報リスト及び前記優先度決定手段からの優先度情報リストを記憶する記憶手段と、ユーザが番組選局操作を行った場合に、前記記憶手段からの情報に基づいて、切替えるサイマルキャスト放送番組を決定する切替手段とを具備する。【選択図】  図１
2004274560.tif 000002
【特許請求の範囲】
【請求項１】
番組情報を受信する受信手段と、前記受信手段からの番組情報に基づいて番組毎の識別番号を生成し、識別番号及び当該識別番号に対応する番組情報を含む番組情報リストを作成するサイマルキャスト検知手段と、ユーザが設定したサイマルキャスト切替情報に基づいて優先度情報リストを作成する優先度決定手段と、前記サイマルキャスト検知手段からの番組情報リスト及び前記優先度決定手段からの優先度情報リストを記憶する記憶手段と、ユーザが番組選局操作を行った場合に、前記記憶手段からの情報に基づいて、切替えるサイマルキャスト放送番組を決定する切替手段とを具備することを特徴とする放送受信装置。
【請求項２】
サイマルキャスト検知手段は、同一番組名、同一放送日時である番組に対して同一の識別番号を生成することを特徴する請求項１記載の放送受信装置。
【請求項３】
番組情報を受信する第１のステップと、前記第１のステップからの番組情報に基づいて番組毎の識別番号を生成し、識別番号及び当該識別番号に対応する番組情報を含む番組情報リストを作成する第２のステップと、前記第２のステップで作成した番組情報リスト及びユーザが設定したサイマルキャスト切替情報に基づいて作成した優先度情報リストを記憶する第３のステップと、ユーザが番組選局操作を行った場合に、前記第３のステップからの情報に基づいて、切替えるサイマルキャスト放送番組を決定する第４のステップとを具備することを特徴とする放送受信方法。
【発明の詳細な説明】
【０００１】
【発明の属する技術分野】
本発明は、放送受信装置及び放送受信方法に関し、更に詳しくは、サイマルキャスト放送を受信することが可能な放送受信装置及び放送受信方法に関する。
【０００２】
【従来の技術】
現在、サイマルキャスト放送はアナログ放送とデジタル放送とで行われており、デジタル放送の視聴中に映像・音声の受信が困難になった場合、つまりデジタル放送の受信レベルが低下した場合に、同一番組のアナログ放送を受信できるようにした放送受信装置が公知である。
【０００３】
【特許文献１】
特開２００１−２１１１２６号公報
【０００４】
【発明が解決しようとする課題】
しかしながら、上記従来技術の放送受信装置において地上波デジタル放送を受信する場合は、映像・音声の受信が問題になることは少なく、受信レベルで番組切替えを行うと、ユーザにとって視聴すべき番組があるにもかかわらず、当該番組を視聴することができないという問題がある。
【０００５】
また、番組放送と同時に受信するＳＩ（Ｓｅｒｖｉｃｅ  Ｉｎｆｏｒｍａｔｉｏｎ）情報からサイマルキャスト放送か否かを判定すると、処理に時間が掛かってしまうという問題もある。
【０００６】
本発明は、上記事情を考慮し、番組情報を番組放送とは別に取得して予めサイマルキャストを検知しておき、ユーザの好みによって放送を切替えることが可能な放送受信装置及び放送受信方法を提供することを目的とする。
【０００７】
【課題を解決するための手段】
本発明の請求項１に係る放送受信装置は、番組情報を受信する受信手段と、受信手段からの番組情報に基づいて番組毎の識別番号を生成し、識別番号及び当該識別番号に対応する番組情報を含む番組情報リストを作成するサイマルキャスト検知手段と、ユーザが設定したサイマルキャスト切替情報に基づいて優先度情報リストを作成する優先度決定手段と、サイマルキャスト検知手段からの番組情報リスト及び優先度決定手段からの優先度情報リストを記憶する記憶手段と、ユーザが番組選局操作を行った場合に、記憶手段からの情報に基づいて、切替えるサイマルキャスト放送番組を決定する切替手段とを具備することを特徴とする。
【０００８】
また、本発明の請求項２に係る放送受信装置は、請求項１の放送受信装置の構成に加え、サイマルキャスト検知手段は、同一番組名、同一放送日時である番組に対して同一の識別番号を生成することを特徴する。
【０００９】
また、本発明の請求項３に係る放送受信方法は、番組情報を受信する第１のステップと、第１のステップからの番組情報に基づいて番組毎の識別番号を生成し、識別番号及び当該識別番号に対応する番組情報を含む番組情報リストを作成する第２のステップと、第２のステップで作成した番組情報リスト及びユーザが設定したサイマルキャスト切替情報に基づいて作成した優先度情報リストを記憶する第３のステップと、ユーザが番組選局操作を行った場合に、第３のステップからの情報に基づいて、切替えるサイマルキャスト放送番組を決定する第４のステップとを具備することを特徴とする。
【００１０】
【発明の実施の形態】
図１は、本発明の実施の形態による放送受信装置の構成を示すブロック図である。放送受信装置１００は、チューナ１０１と、ＤＥＭＵＸ１０２と、デコーダ１０３と、処理回路１０４と、ＯＳＤ１０５と、システムコントローラ１０６と、受信部１０７と、分離部１０８と、サイマルキャスト検知部１０９と、優先度決定部１１０と、記憶部１１１と、切替部１１２及びリモコン１１３から構成される。
【００１１】
放送受信装置１００は、屋内外において所定の方向に向けられたアンテナから受信される番組放送を受信する。ここで、番組放送は、デジタル放送信号及びアナログ放送信号の放送波である。また、放送受信装置１００は、番組情報を上記番組放送とは別経由、例えばメガポート放送経由やインターネット経由で取得する。
【００１２】
チューナ１０１は、映像・音声データを含む変調信号のうちから特定周波数の信号を取り出す。また、変調信号を復調してＴＳ（トランスポート・ストリーム）を出力する。
【００１３】
ＤＥＭＵＸ１０２は、チューナ１０１からのデスクランブルされたＴＳをデマルチプレクスし、映像や音声、データ等のコンテンツに分離し、映像ＰＥＳ及び音声ＰＥＳをデコーダ１０３へ出力する。ここでの出力は、ＴＳ化される前のＰＥＳ（パケッタイズドエレメンタリストリーム）やＥＳ（エレメンタリストリーム）である。
【００１４】
デコーダ１０３は、ＤＥＭＵＸ１０２からのビデオトランスポートパケット及びオーディオトランスポートパケットに対してデコードを行う。
【００１５】
処理回路１０４は、デコーダ１０３から映像データ及び音声データを受け取り、Ｄ／Ａ変換を行って信号を生成し、所定の処理を施した後、ディスプレイ、スピーカ等の出力装置に出力する。
【００１６】
ＯＳＤ１０５は、システムコントローラ１０６からの情報に基づいて、電子番組表や操作ガイド画面等を表示するための処理を行う。
【００１７】
システムコンローラ１０６は、放送受信装置１００を制御するコントローラであり、ユーザによる番組選択に関する処理、ＤＥＭＵＸ１０２にて分離された情報の処理及びサイマルキャストにおける自動受信切替処理等の制御に関する処理を行う。
【００１８】
受信部１０７は、メガポート放送あるいはインターネットから、チャンネル番号、放送日時、番組名、番組内容、放送方式を含む番組情報を受信する。
【００１９】
分離部１０８は、受信部１０７で取得した番組情報の中から、チャンネル番号、放送日時、番組名、番組内容、放送方式を記述したデータ部分を抽出する。
【００２０】
サイマルキャスト検知部１０９は、分離部１０８で抽出されたデータに対して個別の番組ＩＤを付与し、チャンネル番号、番組内容、放送方式、放送日時を含む番組情報リストを作成する。同一番組名・同一日時を持つ番組は、サイマルキャストであると判断し、同一ＩＤを付与する。ここで、番組情報リストについては図２を用いて後述する。
【００２１】
優先度決定部１１０は、ユーザが設定した画質、音質、好みの出演者、好みの球団といったサイマルキャスト切替情報に基づいて、優先度情報リストを作成する。優先度情報リストについては、図３を用いて後述する。
【００２２】
記憶部１１１は、優先度決定部１１０からの優先度情報リスト及びサイマルキャスト検知部１０９からの番組情報リストを記憶する。
【００２３】
切替部１１２は、システムコントローラ１０６からのチャンネルの選局情報に基づいて、記憶部１１１から優先度情報リストと番組情報リストを取得し、ユーザに最適な番組放送を決定する。そして、決定した番組放送をシステムコントローラ１０６に切替信号として通知する。
【００２４】
リモコン１１３は、放送受信装置１１０に指令を送出するための送信機である。ユーザは、リモコンを使用して番組選局等の操作信号を送信する。
【００２５】
図２は放送切替えに用いる番組情報リストである。各項目の内容は、分離部１０８からの情報を基に、サイマルキャスト検知部１０９にて設定される。ＩＤは各番組放送に対して個別に与えるが、同一放送である場合、つまり同一番組名・同一日時を持つ番組である場合は、サイマルキャストであると判断して同一ＩＤを与える。チャンネルには、番組放送のチャンネル番号を格納する。映像には、解像度や描画方式（インターレースまたはプログレッシブ）を格納する。音声には、音声フォーマットやサンプリング周波数を格納する。番組内容は、分離部１０８から得られる番組内容をそのまま格納する。放送日時は、番組放送を放送する日時を格納する。
【００２６】
図３は放送切替えに用いる優先度情報リストである。各項目はユーザが設定した情報であり、出演者、球団、映像、音声の項目にはユーザ好みの情報を格納する。優先度情報リストは、リスト上位から優先される項目順に構成され、各項目の番号は同項目内の優先順位となる。
【００２７】
次に、図４に示すフローチャートを用いて自動受信切替処理を説明する。放送受信装置１００は、分離部１０８において、受信部１０７で受信した番組情報から、チャンネル番号、放送日時、番組名、出演者名、番組内容、放送方式を記述したデータ部分を抽出する（Ｓ４０１）。
【００２８】
そして、サイマルキャスト検知部１０９において、分離部１０８で抽出されたデータに対して個別の番組ＩＤを付与し、チャンネル番号、番組内容、放送方式、放送日時等を含む番組情報リストを作成し（Ｓ４０２）、当該番組情報リストを、情報が更新されるか、番組放送が終了して必要無くなるまで記憶部１１１に記憶する（Ｓ４０３）。
【００２９】
ここで、リモコン１１３を介してユーザから番組選局操作信号が入力された場合（Ｓ４０４でＹＥＳ）、システムコントローラ１０６は切替部１１２に対して選局情報を送信する。切替部１１２は、記憶部１１１から優先度情報リスト、前記選局情報と同じチャンネル番号を持つ番組情報リスト及び当該番組情報リストと同一ＩＤを保持する番組情報リストを全て抽出する（Ｓ４０５）。
【００３０】
そして、抽出された全ての番組情報リストに対して優先度情報リストの上位の項目から一致するものを検索し、無ければ優先度情報リストを下って検索していく。一巡しても見つからない場合は、優先度情報リスト各項目の要求レベルを一段階下げて検索を繰り返す。前記処理によって、切替える番組放送を決定する（Ｓ４０６）。
【００３１】
上記処理後、切替部１１２は、システムコントローラ１０６へ切替える番組放送を示す切替信号を送信し（Ｓ４０７）、システムコントローラ１０６は、当該番組放送を選局するための制御信号をチューナ１０１へと出力する。
【００３２】
【発明の効果】
以上のように、本発明の放送受信装置及び放送受信方法によれば、番組放送とは別に、あらかじめサイマルキャストに関する情報を取得し、ユーザの設定情報に基づいて切替えを行うことで、ユーザに最適な番組放送を切替えを意識させることなく視聴することが可能となる。
【図面の簡単な説明】
【図１】本発明の実施の形態に係る放送受信装置の構成を示すブロック図
【図２】本発明の実施の形態に係る番組情報リストの構成を示す図
【図３】本発明の実施の形態に係る優先度情報リストの構成を示す図
【図４】本発明の実施の形態に係る自動受信切替処理を示すフローチャート
【符号の説明】
１０１  チューナ
１０２  ＤＥＭＵＸ
１０３  デコーダ
１０４  処理回路
１０５  ＯＳＤ
１０６  システムコントローラ
１０７  受信部
１０８  分離部
１０９  サイマルキャスト検知部
１１０  優先度決定部
１１１  記憶部
１１２  切替部
１１３  リモコン
【図１】
2004274560.tif 000003
【図２】
2004274560.tif 000004
【図３】
2004274560.tif 000005
【図４】
2004274560.tif 000006